(57)【要約】      （修正有）【課題】電気ポットを利用して簡単に食品を温めることのできる簡易蒸し器で、簡単な構造で電気ポットの上部に設置でき、また、電気ポットの蒸気を効率よく蒸し器内に供給できる簡易蒸し器の提供。【解決手段】簡易蒸し器の底部外側寄りの位置に、蒸気供給口２ａとスカート状のフランジ部を有し、簡単に電気ポット上部の蒸気排出口１１の位置に設置できるようにする。【選択図】図２
0003141266.tif 000002
【実用新案登録請求の範囲】
【請求項１】
電気ポットなどを利用して簡単に食品を温める簡易蒸し器で、底部外側寄りの位置に蒸気供給口及び蒸気供給口をカバーするフランジ部を有し、当該フランジ部が耐熱性ゴム部材で出来ていることを特徴とする簡易蒸し器。
【請求項２】
請求項１に記載の簡易蒸し器に於いて、前記フランジ部の下部形状がスカート状になっていることを特徴とする簡易蒸し器。
【請求項３】
請求項１に記載の簡易蒸し器に於いて、前記蒸気供給口に脱着可能なスカート状ゴム部材を設けたことを特徴とする簡易蒸し器。
【考案の詳細な説明】
【技術分野】
【０００１】
本考案は、電気ポットを利用して簡単に食品を温めて柔らかくすることができる簡易蒸し器に関するものである。
【背景技術】
【０００２】
従来、家庭で冷凍食品を解凍する場合や表面が乾燥した食品を温めて柔らかくしようとする場合には、電子レンジ等が用いられてきた。
【０００３】
しかしながら、電子レンジで加熱すると、乾燥した食品の場合、水分が少ないために食感が良くなく、また、食するのに適切な温度に調節することが難しいという問題点があった。
【考案の開示】
【考案が解決しようとする課題】
【０００４】
本考案は、こうした課題を解決し、充分水分を含み、食感を良くすることと、食するのに適した温度に食品を温めることが出来る簡易蒸し器を提供するものである。また本考案は、家庭で広く使用されている、電気ポットの上部に取り付けることで、電気ポットの蒸気を活用して容易に食品を蒸すことの出来るものである。
【課題を解決するための手段】
【０００５】
前記課題の解決のため、本考案の簡易蒸し器は、底部外側寄りの位置に蒸気供給口及び蒸気供給口をカバーするスカート状のフランジ部を有し、当該フランジ部を耐熱性ゴム部材で構成したものである。本フランジ部の下部形状がスカート状になっているので、簡単に電気ポット上部の蒸気排出口の位置に設置できるように構成したものである。
【考案の効果】
【０００６】
本考案の簡易蒸し器は、蒸気の取り込み部にゴム部材のスカート状フランジで構成しているので、電気ポットの上部に簡単に設置することが出来るとともに、電気ポットの蒸気を効果的に蒸し器内部に取り込むことが出来る。また家庭で広く使用されている電気ポットの蒸気を活用して、食品を１００度以下で安定した温度に蒸すことが出来る簡易蒸し器を提供することが出来る。
【考案を実施するための最良の形態】
【０００７】
本考案を実施するため、本考案の簡易蒸し器は、底部外側寄りの位置に蒸気供給口と、蒸気供給口をカバーする耐熱性ゴム部材でできたスカート状のフランジ部で構成したものである。
以下本考案の実施例について述べる。
【実施例１】
【０００８】
図１は、本考案の簡易蒸し器の具体的な実施例を説明する側面断面図である。
図１において、１は蒸し器本体、２は蒸気供給口、３はフランジ部、４は中敷き、５は蓋、である。
以上の構成からなる本考案の簡易蒸し器について以下詳細を説明する。
【０００９】
図１において、蒸し器本体１の底部の外側寄りの位置に、蒸気供給口２が設けられている。蒸気供給口２の周囲はフランジ部３でカバーされている。本フランジ部３は耐熱性ゴム部材で出来ており、高温の蒸気を蒸し器本体１の内部に供給する供給口となっている。
フランジ部３は蒸し器本体１内部で底部にたまる蒸気の水が蒸気供給口２から漏れないようになっている。またフランジ部３の底部はスカート状となっており、電気ポットの蒸気排出口に容易に位置が合わせられるようになっているとともに、蒸し器本体１を安定して電気ポットの上部に設置できるようになっている。フランジ部３は耐熱性の軟質ゴム部材で出来ており、例えばシリコンゴム等で出来ている。
【００１０】
蒸し器本体１の材料は鉄、アルミ、ホーロ、木材、竹等が使用できる。またプラスチック樹脂や撥水加工した紙、ダンボールも可能であるが、これらの材料に限るものではない。
中敷き４は食品をのせて蒸すものであり、木材や竹を組んだもの、蒸気通過用の孔の開けたプラスチックや金属が使用できる。蓋５は蒸し器本体１の蓋であり、一箇所に蒸気を逃がす孔を空けている。蓋５はガラス材で中の食品の状態が見えるものが望ましいが、蒸し器本体１に合わせて材料を選択できる。
【実施例２】
【００１１】
２図は本考案の簡易蒸し器を電気ポットに設置した使用状態を示す説明図である。
図２において、１aは蒸し器本体、２aは蒸気供給口、３aはフランジ部、４aは中敷き、５aは蓋、６は食品、１０は電気ポット、１１は蒸気排出口である。
以上の構成にて簡易蒸し器を電気ポットに設置した使用方法を説明する。
【００１２】
電気ポット１０の頂部の蒸気排出口１１に、蒸し器本体１aの下部にあるフランジ部３aのスカート部を合わせながら、蒸し器本体１aを電気ポット１０の上部に設置する。次に
蒸し器本体１aの内側に中敷き４aを敷いて、その上に加熱する食品６を並べ、蓋５aで覆
う。ここで電気ポット１０を沸騰状態にする。電気ポット１０が沸騰すると、頂部の蒸気排出口１１から蒸気が排出され、フランジ部３aでカバーされた蒸気供給口２aを通り、中敷き４aをとおして食品６を加熱する。電気ポット１０は沸騰スイッチを投入後、一定時
間が経過すると保温状態に復帰するが、その間の加熱時間が不十分な場合は再度、沸騰スイッチを入れることで沸騰が再開できる。
【００１３】
図３はフランジ部を着脱可能な構成としたものである。フランジ部３bは軟質ゴム部材
で出来ているので、蒸し器本体の蒸気供給口２bに容易に取り付けることが出来る。また
フランジ部３bの下部はスカート状となっているが、スカート形状を電気ポットの頂部の
傾きや形状に合わせていくつかの形状を用意している。たとえばスカート部の一方をより長めの形状としている。電気ポットの違いや頂部の傾斜に合わせて、このフランジ部を取り替えて容易に設置することにより、電気ポットの上に安定して蒸し器を設置することが出来る。
【００１４】
電気ポットを沸騰させた蒸気の温度は１００度近くであるため、食品の加熱温度が一定に保たれるので電子レンジよりも食品の変質が少ない。本発明の簡易蒸し器では、冷凍食品の解凍も可能であるが、特に乾燥した、ご飯、パン、饅頭、シュウマイ、等を温めて柔らかくするのに適している。
【００１５】
本簡易蒸し器の利用は、電気ポットに限定さえるものではなく、家庭用の炊飯器にも利用できるものである。
【００１６】
また、フランジ部３は、軟質ゴム部材の代わりにスポンジ状の樹脂部材を使用することもできる。例えば、蒸し器本体１に撥水加工した紙を用い、フランジ部３にはスポンジ部材を両面テープ等で貼り付けて形成することで、コストの安い簡易蒸し器にすることが出来る。スポンジ部材の形状は厚みに傾斜を持たせることで、電気ポットの上部に安定して設置することができる。
【産業上の利用可能性】
【００１７】
本考案の簡易蒸し器は、家庭で広く使用されている電気ポットに簡単に取り付けられ、電気ポットの蒸気を活用して容易に食品を温めて柔らかくすることができるものであり、産業上利用可能性の高いものである。
【図面の簡単な説明】
【００１８】
【図１】本考案の簡易蒸し器の具体的な実施例を説明する断面図である。
【図２】本考案の簡易蒸し器を電気ポットに設置した場合の使用状態を示す説明図である。
【図３】本考案の簡易蒸し器でフランジ部を着脱可能とした場合の断面図である。
【符号の説明】
【００１９】
１   蒸し器本体
２   蒸気供給口
３   フランジ部
４   中敷き
５   蓋
６   食品
１０    電気ポット
１１    蒸気排出口
１a   蒸し器本体
２a  蒸気供給口
３a  フランジ部
４a  中敷き
５a  蓋
１b   蒸し器本体
２b  蒸気供給口
３b  フランジ部
【図１】
0003141266.tif 000003
【図２】
0003141266.tif 000004
【図３】
0003141266.tif 000005
【手続補正書】
【提出日】平成20年2月19日(2008.2.19)
【手続補正１】
【補正対象書類名】実用新案登録請求の範囲
【補正対象項目名】請求項１
【補正方法】変更
【補正の内容】
【請求項１】
電気ポットや炊飯器の蒸気吹き出し口を利用して簡単に食品を温める簡易蒸し器で、底部外側寄りの位置に蒸気供給口及び蒸気供給口をカバーするフランジ部を有し、当該フランジ部が耐熱性ゴム部材で出来ていることを特徴とする簡易蒸し器。
【手続補正２】
【補正対象書類名】明細書
【補正対象項目名】０００１
【補正方法】変更
【補正の内容】
【０００１】
本考案は、電気ポットや炊飯器の蒸気吹き出し口を利用して簡単に食品を温めて柔らかくすることができる簡易蒸し器に関するものである。
【手続補正３】
【補正対象書類名】明細書
【補正対象項目名】０００４
【補正方法】変更
【補正の内容】
【０００４】
本考案は、こうした課題を解決し、充分水分を含み、食感を良くすることと、食するのに適した温度に食品を温めることが出来る簡易蒸し器を提供するものである。また本考案は、家庭で広く使用されている、電気ポットや炊飯器の蒸気吹き出し口の上部に取り付けることで、発生した蒸気を活用して容易に食品を蒸すことの出来るものである。
【手続補正４】
【補正対象書類名】明細書
【補正対象項目名】０００５
【補正方法】変更
【補正の内容】
【０００５】
前記課題の解決のため、本考案の簡易蒸し器は、底部外側寄りの位置に蒸気供給口及び蒸気供給口をカバーするスカート状のフランジ部を有し、当該フランジ部を耐熱性ゴム部材で構成したものである。本フランジ部の下部形状がスカート状になっているので、簡単に電気ポットや炊飯器の上部の蒸気排出口の位置に設置できるように構成したものである。
【手続補正５】
【補正対象書類名】明細書
【補正対象項目名】０００６
【補正方法】変更
【補正の内容】
【０００６】
本考案の簡易蒸し器は、蒸気の取り込み部にゴム部材のスカート状フランジで構成しているので、電気ポットや炊飯器の蒸気吹き出し口の上部に簡単に設置することが出来るとともに、発生した蒸気を効果的に蒸し器内部に取り込むことが出来る。また家庭で広く使用されている電気ポットや炊飯器の蒸気を活用して、食品を１００度以下で安定した温度に蒸すことが出来る簡易蒸し器を提供することが出来る。
【手続補正６】
【補正対象書類名】明細書
【補正対象項目名】００１７
【補正方法】変更
【補正の内容】
【００１７】
本考案の簡易蒸し器は、家庭で広く使用されている電気ポットや炊飯器の蒸気吹き出し口に簡単に取り付けられ、発生した蒸気を活用して容易に食品を温めて柔らかくすることができるものであり、産業上利用可能性の高いものである。